(57)【要約】【課題】節電見込量を適切に推定することができる電力管理装置を提供する。【解決手段】電力管理装置１１０は、節電に関する実績情報が記憶される記憶部１１２と、実績情報を用いて、１以上の需要者において節電が実施される割合を示す節電実施率、および、１以上の需要者における１需要者が節電を実施した場合の電力使用量の削減量を示す節電量を導出する導出部１１３と、節電実施率および節電量を用いて、将来の節電対象時間における１以上の需要者の電力使用量の削減量を示す節電見込量を推定する推定部１１４とを備える。【選択図】図２
2017004124.tif 000002
【特許請求の範囲】
【請求項１】
節電に関する実績情報が記憶される記憶部と、
前記実績情報を用いて、１以上の需要者において節電が実施される割合を示す節電実施率、および、前記１以上の需要者における１需要者が節電を実施した場合の電力使用量の削減量を示す節電量を導出する導出部と、
前記節電実施率および前記節電量を用いて、将来の節電対象時間における前記１以上の需要者の電力使用量の削減量を示す節電見込量を推定する推定部とを備える
電力管理装置。
【請求項２】
前記導出部は、
前記実績情報を用いて、節電の実施を促すメッセージが前記１以上の需要者において閲覧される割合を示す閲覧率を導出し、
前記閲覧率を用いて、前記節電実施率を導出する
請求項１に記載の電力管理装置。
【請求項３】
前記導出部は、
前記実績情報を用いて、前記節電対象時間における前記１以上の需要者の在宅率を導出し、
前記在宅率を用いて、前記節電実施率を導出する
請求項１または２に記載の電力管理装置。
【請求項４】
前記導出部は、
前記１以上の需要者において在宅で節電が実施される割合を前記節電実施率として導出し、
在宅かつ通常時の電力使用量から在宅かつ節電実施時の電力使用量を引いた量を前記節電量として導出する
請求項１〜３のいずれか１項に記載の電力管理装置。
【請求項５】
前記導出部は、
前記１以上の需要者において外出によって節電が実施される割合を前記節電実施率として導出し、
在宅時の電力使用量から外出時の電力使用量を引いた量を前記節電量として導出する
請求項１〜３のいずれか１項に記載の電力管理装置。
【請求項６】
前記導出部は、
（ｉ）前記１以上の需要者において節電が在宅で実施される割合を示す在宅節電実施率と、（ｉｉ）前記１以上の需要者において節電が外出によって実施される割合を示す外出節電実施率とのそれぞれを前記節電実施率として導出し、
（ｉ）在宅かつ通常時の電力使用量から在宅かつ節電実施時の電力使用量を引いた量を示す在宅節電量と、（ｉｉ）在宅時の電力使用量から外出時の電力使用量を引いた量を示す外出節電量とのそれぞれを前記節電量として導出し、
前記推定部は、前記在宅節電実施率と前記外出節電実施率と前記在宅節電量と前記外出節電量とを用いて、前記節電見込量を推定する
請求項１〜３のいずれか１項に記載の電力管理装置。
【請求項７】
前記導出部は、所定の外気温における前記節電実施率を導出する
請求項１〜６のいずれか１項に記載の電力管理装置。
【請求項８】
前記導出部は、所定の外気温における前記節電量を導出する
請求項１〜７のいずれか１項に記載の電力管理装置。
【発明の詳細な説明】
【技術分野】
【０００１】
本発明は、節電見込量を推定する電力管理装置に関する。
【背景技術】
【０００２】
従来、電力の管理を行う電力管理装置がある。特許文献１に係る電力管理装置は、その一例であり、電力需要予測部と、電力計測部と、デマンド制御部と、デマンド発行部とを備える。
【０００３】
電力需要予測部は、将来の日時における電力需要者の電力需要を予測する。電力計測部は、その日時において電力需要者の電力消費量を取得する。デマンド制御部は、電力需要予測部により予測された電力需要予測量と電力計測部により測定された電力消費量とに基づいて、電力需要者に対して電力消費量の調整を促すデマンドを決定する。デマンド発行部は、デマンド制御部により決定されたデマンドを電力需要者に対して発行する。
【０００４】
これにより、特許文献１に係る電力管理装置は、事前に求めた電力需要予測量に電力需要量が近づくように、電力の管理を行う。
【先行技術文献】
【特許文献】
【０００５】
【特許文献１】特開２０１３−１０２６３７号公報
【発明の概要】
【発明が解決しようとする課題】
【０００６】
しかしながら、特許文献１に係る電力管理装置では、節電見込量が適切に推定されていない。具体的には、特許文献１に係る電力管理装置は、過去に発行されたデマンドに対する需要者の応答率、および、外出時の削減電力量等に基づいて、デマンドを決定する。特許文献１において、デマンドとは、需要者の電力消費量を調整するために、需要者に様々な行動をとるように促すための指示である。
【０００７】
特許文献１に係る電力管理装置は、応答率が高く、かつ、必要な削減が達成されるデマンドを選択する。すなわち、特許文献１では、応答率が高いデマンドが選択されているが、応答率に基づく節電見込量が算出されていない。したがって、特許文献１では、節電見込量が適切に推定されず、電力使用量が適切に管理されない可能性がある。そして、節電見込量に適した電力供給が行われない可能性がある。
【０００８】
そこで、本発明は、節電見込量を適切に推定することができる電力管理装置を提供することを目的とする。
【課題を解決するための手段】
【０００９】
上記目的を達成するために、本発明の一態様に係る電力管理装置は、節電に関する実績情報が記憶される記憶部と、前記実績情報を用いて、１以上の需要者において節電が実施される割合を示す節電実施率、および、前記１以上の需要者における１需要者が節電を実施した場合の電力使用量の削減量を示す節電量を導出する導出部と、前記節電実施率および前記節電量を用いて、将来の節電対象時間における前記１以上の需要者の電力使用量の削減量を示す節電見込量を推定する推定部とを備える。
【発明の効果】
【００１０】
本発明の一態様に係る電力管理装置は、節電見込量を適切に推定することができる。
【図面の簡単な説明】
【００１１】
【図１】実施の形態における電力管理システムの構成を示す概念図
【図２】実施の形態における電力管理装置の構成を示すブロック図
【図３】実施の形態における需要者毎および日時毎の実績情報を示すデータ項目図
【図４】実施の形態における需要者毎およびメッセージ毎の実績情報を示すデータ項目図
【図５】実施の形態におけるグループ毎および日時毎の実績情報を示すデータ項目図
【図６】実施の形態におけるグループ毎およびメッセージ毎の実績情報を示すデータ項目図
【図７】実施の形態における外気温毎の実績情報を示すデータ項目図
【図８】実施の形態における電力管理装置の動作を示すフローチャート
【図９】実施の形態における節電方法を示す概念図
【図１０】実施の形態における通信装置に表示されるメッセージ一覧を示す想定図
【図１１】実施の形態における通信装置に表示される節電メッセージを示す想定図
【図１２】実施の形態における節電見込量に関するパラメータ群の一例を示す関連図
【図１３】実施の形態における節電見込量に関するパラメータ群の一例を示す関連図
【図１４】実施の形態における節電見込量に関するパラメータ群の一例を示す関連図
【図１５】実施の形態における節電見込量に関するパラメータ群の一例を示す関連図
【発明を実施するための形態】
【００１２】
以下、本発明の実施の形態について、図面を用いて詳細に説明する。なお、以下で説明する実施の形態は、いずれも包括的または具体的な例を示す。以下の実施の形態で示される数値、形状、材料、構成要素、構成要素の配置位置および接続形態、動作の順序等は、一例であり、本発明を限定する主旨ではない。また、以下の実施の形態における構成要素のうち、最上位概念を示す独立請求項に記載されていない構成要素は、任意の構成要素として説明される。
【００１３】
また、以下の説明において、時間は、日付を含む時間を示す場合がある。
【００１４】
（実施の形態）
図１は、本実施の形態における電力管理システムを示す概念図である。図１に示された電力管理システム１００は、電力管理装置１１０、および、複数の施設１２０における複数の通信装置１２１を備える。なお、電力管理システム１００および電力管理装置１１０が１需要者によって利用される場合、施設１２０および通信装置１２１はそれぞれ１つでもよい。
【００１５】
電力管理装置１１０は、節電に関する電力の状態を管理する装置であって、具体的には、情報処理装置（サーバまたはコンピュータ等）である。電力管理装置１１０は、通信ネットワーク１０１を介して、複数の通信装置１２１に接続される。通信ネットワーク１０１は、専用の通信ネットワークでもよいし、インターネットのような汎用の通信ネットワークでもよい。
【００１６】
例えば、電力管理装置１１０は、複数の通信装置１２１から節電に関する実績情報を収集し、収集された実績情報を電力管理装置１１０の記憶部に記憶する。そして、電力管理装置１１０は、記憶部に記憶された実績情報に基づいて、節電見込量を推定する。そして、電力管理装置１１０は、節電見込量等に基づいて、節電メッセージを配信する。
【００１７】
複数の通信装置１２１のそれぞれは、電力管理装置１１０と通信する通信装置である。具体的には、複数の通信装置１２１のそれぞれは、需要者の施設１２０に設置されたＨＥＭＳ（Ｈｅｍｅ  Ｅｎｅｒｇｙ  Ｍａｎａｇｅｍｅｎｔ  Ｓｙｓｔｅｍ）コントローラでもよいし、需要者のスマートフォンまたは携帯電話でもよい。
【００１８】
例えば、通信装置１２１は、施設１２０において節電に関する実績情報をセンサまたはスマートメータ等から取得し、取得された実績情報を電力管理装置１１０へ送信する。また、通信装置１２１は、節電を促すためのメッセージ（節電メッセージ）を含む各種メッセージを電力管理装置１１０から受信し、各種メッセージを通信装置１２１の画面に表示してもよい。
【００１９】
なお、実績情報を電力管理装置１１０へ送信する装置と、電力管理装置１１０からメッセージを受信する装置とは異なっていてもよい。例えば、スマートメータが、通信装置１２１として動作し、実績情報を電力管理装置１１０へ送信してもよいし、スマートフォンが、通信装置１２１として動作し、メッセージを電力管理装置１１０から受信してもよい。
【００２０】
また、施設１２０は、需要者の家でもよいし、アパートのような集合住宅における需要者の住戸でもよいし、需要者の事務所でもよい。
【００２１】
図２は、図１に示された電力管理装置１１０の構成を示すブロック図である。図２に示された電力管理装置１１０は、収集部１１１、記憶部１１２、導出部１１３、推定部１１４、および、配信部１１５を備える。
【００２２】
収集部１１１は、情報処理を行う処理部であり、節電に関する実績情報を複数の通信装置１２１から収集する。実績情報は、施設１２０の電力使用量を示す情報を含んでもよいし、節電に関するその他の情報を含んでもよい。収集部１１１は、複数の施設１２０における複数の通信装置１２１とは異なる装置から実績情報を収集してもよい。収集部１１１は、収集された実績情報を記憶部１１２に記憶する。収集部１１１は、収集された実績情報を編集し、編集された実績情報を記憶部１１２に記憶してもよい。
【００２３】
記憶部１１２は、情報を記憶するための記憶部である。具体的には、記憶部１１２には、節電に関する実績情報が記憶される。記憶部１１２には、さらに、複数の需要者の情報、および、複数の通信装置１２１の情報等が含まれてもよい。
【００２４】
導出部１１３は、情報処理を行う処理部であり、記憶部１１２に記憶された実績情報から、節電見込量を推定するためのパラメータ群を導出する。
【００２５】
推定部１１４は、情報処理を行う処理部であり、導出部１１３で導出されたパラメータ群を用いて、節電見込量を推定する。
【００２６】
配信部１１５は、情報処理を行う処理部であり、節電メッセージを配信する。節電メッセージは、節電依頼のメッセージであり、節電を促すためのメッセージである。
【００２７】
なお、電力管理装置１１０は、推定部１１４で推定された節電見込量を通知する通知部を備えてもよい。また、収集部１１１および配信部１１５は、電力管理装置１１０に含まれていなくてもよい。
【００２８】
図３は、需要者毎および日時毎の実績情報を示すデータ項目図である。図３に示された実績情報は、主に、需要者毎の電力使用量を示す。具体的には、図３に示された実績情報には、需要者ＩＤ、日時、電力使用量、在宅状況、節電区分、節電実施状況、節電量、および、外気温が含まれる。
【００２９】
需要者ＩＤは、需要者を識別するためのＩＤ（識別子）である。需要者ＩＤは、需要者の具体的な情報に対応付けられていてもよい。
【００３０】
日時は、実績情報が収集された日時である。例えば、実績情報が３０分間隔で収集される場合、日時は３０分間隔の日時である。
【００３１】
電力使用量は、需要者毎および日時毎の電力使用量である。具体的には、この電力使用量は、需要者の施設１２０における電力使用量であり、実績情報が収集される間隔における電力使用量である。
【００３２】
在宅状況は、実績情報が収集された日時において、需要者が在宅しているか否かの状況であり、具体的には、在宅または外出を示す。例えば、需要者が在宅しているか否かを示すフラグが在宅状況として記憶される。なお、在宅とは、需要者が、需要者の施設１２０にいることを意味し、外出とは、需要者が、需要者の施設１２０にいないことを意味する。
【００３３】
在宅状況は、電力使用量から導出されてもよい。例えば、電力使用量が所定の閾値よりも大きい場合、在宅を示す情報が在宅状況として記憶される。また、電力使用量が所定の閾値以下の場合、外出を示す情報が在宅状況として記憶される。在宅状況は、電力使用量等から動的に導出される場合、独立した項目として記憶されなくてもよい。
【００３４】
また、在宅状況は、需要者が有するスマートフォンのＧＰＳ（Ｇｌｏｂａｌ  Ｐｏｓｉｔｉｏｎｉｎｇ  Ｓｙｓｔｅｍ）情報から導出されてもよいし、施設１２０における所定の電気機器（照明装置等）の電力使用量から導出されてもよい。また、施設１２０における人感センサが利用されてもよいし、需要者から通信装置１２１への入力に従って在宅状況が取得されてもよい。収集部１１１は、これらの情報に基づく在宅状況を取得して、取得された在宅状況を含む実績情報を記憶部１１２に記憶してもよい。
【００３５】
節電区分は、実績情報が収集された日時が過去の節電対象時間に属するか否かの区分である。例えば、実績情報が収集された日時が節電対象時間に属するか否かを示すフラグが節電区分として記憶される。
【００３６】
節電実施状況は、実績情報が収集された日時において、需要者が節電を実施したか否かの状況である。例えば、需要者が節電を実施したか否かを示すフラグが節電実施状況として記憶される。節電実施状況は、実績情報が収集された日時が節電対象時間に属する場合に有効な情報である。節電の実施は、節電依頼に対する節電の協力を意味する。
【００３７】
節電実施状況は、電力使用量から導出されてもよい。例えば、電力使用量が所定の閾値よりも大きい場合、需要者が節電を実施しなかったことを示す情報が節電実施状況として記憶される。また、電力使用量が所定の閾値以下の場合、需要者が節電を実施したことを示す情報が節電実施状況として記憶される。節電実施状況は、電力使用量等から動的に導出される場合、独立した項目として記憶されなくてもよい。
【００３８】
また、節電実施状況（需要者が節電を実施したか否か）の導出において、電力使用量の代わりに電力使用量の削減量が用いられてもよい。
【００３９】
ここでの電力使用量の削減量は、節電対象時間における電力使用量と、節電対象時間以外の時間における電力使用量との差に相当する。例えば、節電対象時間における電力使用量と、その節電対象時間に対して時間帯、気温、および、平日か休日か等の条件が同じで節電対象時間以外の時間における平均電力使用量との差が用いられてもよい。
【００４０】
また、例えば、節電対象時間の開始前の電力使用量と、節電対象時間の開始後の電力使用量との差が電力使用量の削減量として用いられてもよい。なお、節電対象時間の開始時に節電の実施が開始されなくてもよいため、この差は、必ずしも、節電対象時間の開始直前の電力使用量と、節電対象時間の開始直後の電力使用量との差でなくてもよい。
【００４１】
そして、例えば、電力使用量の削減量が所定の閾値よりも大きい場合、需要者が節電を実施したことを示す情報が節電実施状況として記憶される。また、電力使用量の削減量が所定の閾値以下の場合、需要者が節電を実施しなかったことを示す情報が節電実施状況として記憶される。
【００４２】
また、需要者が通信装置１２１へ節電実施状況を入力することによって、節電実施状況が取得されてもよい。この場合、電力管理装置１１０の収集部１１１は、通信装置１２１に入力された節電実施状況に従って、需要者の節電実施状況を認識し、認識された節電実施状況を記憶部１１２に記憶する。
【００４３】
節電量は、実績情報が収集された日時において、節電を実施した需要者の節電量である。節電量は、需要者が節電を実施した場合に有効な情報である。具体的には、節電量は、通常時の電力使用量と、節電時の電力使用量との差に相当する。通常時の電力使用量は、節電対象時間の開始前の電力使用量でもよいし、節電対象時間でない時間であって別の日の同じ時間の電力使用量でもよい。
【００４４】
また、節電対象時間に対して時間帯、気温、および、平日か休日か等の条件が同じで節電対象時間以外の時間における平均電力使用量が、上記の通常時の電力使用量として用いられてもよい。節電量は、電力使用量等から動的に導出される場合、独立した項目として記憶されなくてもよい。
【００４５】
外気温は、実績情報が収集された日時における外気温である。外気温は、環境温度とも呼ばれ、施設１２０の外の気温に相当する。例えば、通信装置１２１が、センサによって施設１２０の周辺の気温を外気温として取得し、電力管理装置１１０の収集部１１１が、取得された外気温を通信装置１２１から収集してもよい。あるいは、電力管理装置１１０の収集部１１１は、別のサーバ装置等から外気温を収集してもよい。
【００４６】
図４は、需要者毎およびメッセージ毎の実績情報を示すデータ項目図である。図４に示された実績情報は、主に、需要者毎およびメッセージ毎の閲覧状況を示す。具体的には、図４に示された実績情報には、需要者ＩＤ、メッセージ配信日時、メッセージ種別、メッセージタイトル、メッセージ内容、および、メッセージ閲覧状況が含まれる。
【００４７】
需要者ＩＤは、需要者を識別するためのＩＤであり、図３に示された需要者ＩＤと同様の項目である。メッセージ配信日時は、需要者にメッセージが配信された日時である。メッセージ種別は、メッセージの種別であって、メッセージが節電依頼のメッセージであるか否か等を示す。メッセージタイトルは、メッセージのタイトルである。メッセージ内容は、メッセージの具体的な内容である。これらの情報は、メッセージの配信時において配信部１１５によって記憶部１１２に記憶されてもよい。
【００４８】
メッセージ閲覧状況は、需要者がメッセージを閲覧したか否かの状況である。例えば、需要者がメッセージを閲覧したか否かを示すフラグがメッセージ閲覧状況として記憶される。具体的には、需要者がメッセージを閲覧した場合、通信装置１２１は、電力管理装置１１０に、需要者がメッセージを閲覧したことを通知する。電力管理装置１１０の収集部１１１は、通知に基づいて、需要者がメッセージを閲覧したことを示す情報をメッセージ閲覧状況として記憶部１１２に記憶する。
【００４９】
図５は、グループ毎および日時毎の実績情報を示すデータ項目図である。図５に示された実績情報は、図３に示された実績情報の統計情報であって、主に、グループ毎の節電実施率および節電量等を示す。具体的には、図５に示された実績情報には、グループＩＤ、日時、電力使用量、在宅率、節電区分、節電実施率、節電量、および、外気温が含まれる。
【００５０】
グループＩＤは、１以上の需要者のグループを識別するためのＩＤである。例えば、複数の需要者は、１以上のグループに分類される。具体的には、複数の需要者は、地域毎に分類されてもよし、集合住宅毎に分類されてもよい。そして、グループに対するグループＩＤは、グループに属する１以上の需要者に対する１以上の需要者ＩＤと対応付けられている。
【００５１】
日時は、実績情報が収集された日時である。この日時は、図３に示された日時と同様の項目である。
【００５２】
電力使用量は、グループ毎および日時毎の電力使用量である。具体的には、この電力使用量は、グループに属する１以上の需要者の総電力使用量であり、図３に示された電力使用量の統計値（グループ毎の合計）に相当する。
【００５３】
在宅率は、実績情報が収集された日時において、グループに属する１以上の需要者のうち、在宅している需要者の割合を示す。在宅率は、図３に示された在宅状況の統計値（グループ毎の割合）に相当する。
【００５４】
節電区分は、実績情報が収集された日時が節電対象時間に属するか否かの区分であり、図３に示された節電区分と同様の項目である。
【００５５】
節電実施率は、実績情報が収集された日時において、グループに属する１以上の需要者のうち、節電を実施した需要者の割合を示す。節電実施率は、図３に示された節電実施状況の統計値（グループ毎の割合）に相当する。
【００５６】
節電量は、実績情報が収集された日時において、グループに属する１以上の需要者のうち、節電を実施した需要者の平均節電量である。この節電量は、図３に示された節電量の統計値（グループ毎の条件付平均）に相当する。
【００５７】
外気温は、実績情報が収集された日時における外気温であり、図３に示された外気温と同様の項目である。
【００５８】
図６は、グループ毎およびメッセージ毎の実績情報を示すデータ項目図である。図６に示された実績情報は、図４に示された実績情報の統計情報であって、主に、グループ毎およびメッセージ毎の閲覧率を示す。具体的には、図６に示された実績情報には、グループＩＤ、メッセージ配信日時、メッセージ種別、メッセージタイトル、メッセージ内容、および、メッセージ閲覧率が含まれる。
【００５９】
グループＩＤは、１以上の需要者のグループを識別するためのＩＤであり、図５に示されたグループＩＤと同様の項目である。また、メッセージ配信日時、メッセージ種別、メッセージタイトル、および、メッセージ内容の各項目は、図４に示された項目と同様の項目である。
【００６０】
メッセージ閲覧率は、グループに属する１以上の需要者のうち、メッセージを閲覧した需要者の割合である。メッセージ閲覧率は、図４に示されたメッセージ閲覧状況の統計値（グループ毎の割合）に相当する。
【００６１】
図７は、外気温毎の実績情報を示すデータ項目図である。図７に示された実績情報は、図３に示された実績情報の統計情報であって、外気温毎の節電実施率および節電量を示す。具体的には、図７に示された実績情報には、外気温、節電実施率、および、節電量が含まれる。
【００６２】
外気温は、実績情報が収集された日時における外気温であり、図３に示された外気温と同様の項目である。
【００６３】
節電実施率は、複数の需要者のうち節電を実施した需要者の割合を外気温毎に示す。この節電実施率は、図３に示された節電実施状況の統計値（外気温毎の割合）に相当する。
【００６４】
節電量は、複数の需要者のうち節電を実施した需要者の平均節電量を外気温毎に示す。この節電量は、図３に示された節電量の統計値（外気温毎の条件付平均）に相当する。
【００６５】
収集部１１１は、図３〜７に示された実績情報を記憶部１１２に記憶する。図３〜７に示された実績情報は、一例であり、一部の項目またはテーブルが削除されてもよいし、新たな項目またはテーブルが追加されてもよい。また、図３〜７に示された実績情報は正規化されて記憶部１１２に記憶されてもよい。また、集約された実績情報（例えば、図５および図６の実績情報）のみが記憶部１１２に記憶されてもよいし、個別の実績情報（例えば、図３および図４の実績情報）のみが記憶部１１２に記憶されてもよい。
【００６６】
また、複数の需要者が１以上のグループに分類されていない場合、図５および図６のグループＩＤはなくてもよい。この場合、複数の需要者の全体に対する情報が管理される。
【００６７】
また、図７に示された実績情報にグループＩＤを追加することにより、グループ毎および外気温毎に節電実施率および節電量が示されてもよい。図３〜７に示された実績情報は、曜日毎に集計され、記憶部１１２に記憶されてもよい。
【００６８】
図８は、図２に示された電力管理装置１１０の動作を示すフローチャートである。まず、収集部１１１は、複数の需要者の複数の施設１２０から実績情報を収集する（Ｓ１０１）。収集部１１１によって収集される実績情報には、例えば、施設１２０の電力使用量、および、節電メッセージの閲覧状況等が含まれる。そして、収集部１１１は、実績情報を記憶部１１２に記憶する。
【００６９】
次に、導出部１１３は、記憶部１１２に記憶された実績情報から、節電見込量を推定するためのパラメータ群を導出する（Ｓ１０２）。具体的には、導出部１１３は、パラメータ群として節電実施率および節電量（１需要者が節電を実施した場合の節電量）等を導出する。導出部１１３は、実績情報からパラメータ群を推定することでパラメータ群を導出してもよい。
【００７０】
次に、推定部１１４は、導出部１１３で導出されたパラメータ群を用いて、節電見込量を推定する（Ｓ１０３）。具体的には、推定部１１４は、パラメータ群として節電実施率および節電量等を用いて、節電見込量を推定する。例えば、推定部１１４は、需要者の数と節電実施率と節電量との掛け算によって得られる値を節電見込量として推定する。
【００７１】
次に、配信部１１５は、節電メッセージを配信する（Ｓ１０４）。例えば、配信部１１５は、複数の需要者における総電力使用量が所定の総電力使用量以上であり、複数の需要者における節電見込量が所定の節電見込量以上である場合、節電メッセージを配信する。
【００７２】
次に、収集部１１１は、節電メッセージに対する節電実施状況等を実績情報として収集する（Ｓ１０１）。電力管理装置１１０は、これらの処理を繰り返すことにより、節電見込量を適切に推定することができる。
【００７３】
なお、実績情報の収集（Ｓ１０１）、および、節電メッセージの配信（Ｓ１０４）は、電力管理装置１１０とは異なる外部の装置によって行われてもよい。また、節電メッセージの配信（Ｓ１０４）は、節電見込量にかかわらず行われてもよい。そして、節電見込量は、電力供給業者に通知され、電力供給業者において電力供給量の制御（管理）に用いられてもよい。これにより、節電見込量に基づいて、電力供給量が適切に制御される。
【００７４】
また、電力管理装置１１０は、グループ毎に節電見込量を推定し、節電見込量が所定の節電見込量以上であるグループに対して、節電メッセージを送信してもよい。これにより、無駄な配信が抑制される。また、電力管理装置１１０は、節電見込量が必要量と合致するように、配信先を増減させてもよい。
【００７５】
また、電力管理装置１１０は、複数の需要者の節電見込量を推定するだけでなく、１需要者の節電見込量を推定してもよい。この場合、例えば、電力管理装置１１０の導出部１１３が、１需要者に対するパラメータ群を導出し、電力管理装置１１０の推定部１１４が、導出されたパラメータ群を用いて１需要者に対する節電見込量を推定する。
【００７６】
図９は、図１に示された電力管理システム１００を用いて行われる節電方法を示す概念図である。なお、図９には、需要者の施設１２０に電気機器１２２が含まれている。電気機器１２２は、例えば、エアコンである。電気機器１２２は、その他の機器でもよい。
【００７７】
まず、通信装置１２１は、電力管理装置１１０から節電メッセージを受信し、受信した節電メッセージを表示する。需要者は、節電メッセージを閲覧し、需要者の裁量で節電を実施する。その際、需要者は、在宅のままで施設１２０における節電を実施してもよいし、外出によって施設１２０における節電を実施してもよい。
【００７８】
例えば、需要者は、在宅のままで節電を実施する場合、電気機器１２２を操作して、通常モードよりも電力使用量が小さい省電力モードで電気機器１２２を運転させる。また、需要者は、外出によって節電を実施する場合、電気機器１２２を停止させて外出する。これにより、施設１２０における電力使用量が削減される。
【００７９】
しかしながら、需要者が、必ずしも節電を実施するとは限らない。例えば、需要者が節電対象時間に在宅していない場合、すなわち、需要者が始めから外出している場合、需要者が、施設１２０の電力使用量を削減することは困難である。したがって、需要者が節電対象時間に在宅していない場合、節電が実施されない可能性が高い。
【００８０】
また、例えば、需要者が節電メッセージを閲覧しなかった場合、節電対象時間が需要者によって把握されない。したがって、この場合、節電が実施されない可能性が高い。
【００８１】
このように、需要者が不在である場合、または、需要者が節電メッセージを閲覧しなかった場合、節電が需要者によって実施されない可能性が高い。また、需要者が、在宅で節電メッセージを閲覧した場合でも、外気温の影響などにより、需要者が節電を実施しない可能性がある。
【００８２】
したがって、電力管理装置１１０の導出部１１３は、節電見込量に影響を与えるパラメータ群を実績情報から導出し、電力管理装置１１０の推定部１１４は、導出されたパラメータ群に基づいて節電見込量を推定する。これにより、電力管理装置１１０は、過去の実績情報に基づいて、適切に節電見込量を推定することができる。
【００８３】
図１０は、図１に示された通信装置１２１に表示されるメッセージ一覧を示す想定図である。図１０に示された通り、通信装置１２１には、節電メッセージを含む各種メッセージのタイトルが一覧形式で表示される。具体的には、通信装置１２１の画面にメッセージ一覧が表示される。メッセージ一覧には、電力管理装置１１０から配信されたメッセージに限らず、その他の装置から配信されたメッセージが含まれてもよい。需要者は、メッセージ一覧からメッセージを選択し、選択されたメッセージの内容を閲覧する。
【００８４】
図１１は、図１に示された通信装置１２１に表示される節電メッセージを示す想定図である。例えば、図１０に示されたメッセージ一覧から節電メッセージ（図１０の一番上のメッセージ）が選択されることで、図１１のように節電メッセージの内容が表示される。節電メッセージの内容には、節電を促すコメントが含まれる。節電メッセージの内容には、節電対象時間が含まれてもよい。
【００８５】
電力管理装置１１０の収集部１１１は、節電メッセージ等が選択されたか否かの情報を節電メッセージ等が閲覧されたか否かの実績情報として収集してもよい。
【００８６】
また、節電メッセージには、図１１のように、需要者が、節電に協力するか否か、すなわち、節電を実施するか否かを選択するためのユーザインタフェースが含まれていてもよい。これにより、節電を実施するか否かが需要者によって選択される。
【００８７】
節電を実施することが需要者によって選択された場合、需要者が自身で節電のための行動を実行する。あるいは、この場合において、自動的に、通信装置１２１が電気機器１２２を停止させてもよいし、通信装置１２１が電気機器１２２の運転モードを省電力モードに切り替えてもよい。
【００８８】
電力管理装置１１０の収集部１１１は、需要者が節電を実施するか否かについて、需要者の選択結果を実績情報として収集してもよい。
【００８９】
また、節電メッセージを含む各種メッセージには、電子メールが利用されてもよい。つまり、配信部１１５は、電子メールで各種メッセージを配信してもよい。また、需要者が節電を実施するか否かを選択するためのユーザインタフェースには、Ｗｅｂのインタフェースが利用されてもよい。つまり、収集部１１１は、Ｗｅｂのインタフェースを介して、実績情報を収集してもよい。この場合、電子メールにＷｅｂページへのリンクが含まれていてもよい。
【００９０】
以下、図１２〜図１５を用いて、節電見込量を推定するためのパラメータ群について、複数の例を説明する。
【００９１】
図１２は、図１に示された電力管理装置１１０で推定される節電見込量に関するパラメータ群の一例を示す関連図である。例えば、節電対象時間の在宅率、節電メッセージの閲覧率、節電実施率、および、需要者が節電を実施した場合の節電量が、１以上の需要者の全体の節電量に影響すると想定される。したがって、電力管理装置１１０の導出部１１３は、実績情報から、これらの情報を導出し、電力管理装置１１０の推定部１１４は、導出されたこれらの情報を用いて、節電見込量を推定する。
【００９２】
図１２において、節電対象時間の在宅率は、例えば、１以上の需要者の数に対して、節電対象時間に在宅している需要者の数の割合を示す。節電対象時間の在宅率は、過去の同じ時間に需要者が在宅している割合に基づいていてもよい。例えば、導出部１１３は、図３に示された実績情報の在宅状況から、節電対象時間の在宅率を導出してもよい。また、導出部１１３は、図５に示された実績情報の在宅率から、節電対象時間の在宅率を導出してもよい。
【００９３】
在宅状況および在宅率の項目が実績情報に含まれていない場合、導出部１１３は、図３に示された実績情報の電力使用量から、節電対象時間の在宅率を導出してもよい。
【００９４】
例えば、導出部１１３は、需要者の電力使用量が所定の閾値よりも大きい場合、需要者が在宅していると判定し、需要者の電力使用量が所定の閾値以下である場合、需要者が外出していると判定してもよい。これにより、導出部１１３は、図３に示された実績情報の電力使用量から、需要者の在宅状況（在宅または外出）を導出することができる。そして、導出部１１３は、導出された在宅状況を用いて、節電対象時間の在宅率を導出することができる。
【００９５】
具体的には、節電対象時間が１４時から１６時までである場合、導出部１１３は、実績情報から、過去の１４時から１６時までにおける１以上の需要者の在宅率を導出する。なお、節電対象時間における１以上の需要者の在宅率が変化する場合、節電対象時間における在宅率の平均値が用いられてもよいし、節電対象時間における所定の時点の在宅率が用いられてもよい。例えば、節電対象時間の開始時点の在宅率が用いられてもよいし、節電対象時間の中間時点の在宅率が用いられてもよい。
【００９６】
また、在宅率は曜日によって異なると想定される。そこで、導出部１１３は、節電対象時間の属する曜日（節電対象日の属する曜日）に基づいて在宅率を導出してもよい。つまり、導出部１１３は、節電対象時間に対して、過去の同じ曜日および同じ時間における在宅率を実績情報から導出してもよい。
【００９７】
また、図１２において、節電メッセージの閲覧率は、例えば、節電メッセージが１以上の需要者において閲覧される割合を示す。節電メッセージの閲覧率は、１以上の需要者のうち、節電メッセージを閲覧した需要者の割合に基づいていてもよい。また、節電メッセージの閲覧率は、需要者に送信された複数の節電メッセージのうち、需要者によって閲覧された節電メッセージの割合に基づいていてもよい。
【００９８】
例えば、導出部１１３は、図４に示された実績情報のメッセージ閲覧状況から、節電メッセージの閲覧率を導出してもよい。また、導出部１１３は、図６に示された実績情報のメッセージ閲覧率から、節電メッセージの閲覧率を導出してもよい。また、導出部１１３は、図６に示された実績情報のメッセージ閲覧率から、最新の節電メッセージの閲覧率を導出してもよいし、平均の閲覧率を導出してもよい。
【００９９】
また、図１２において、節電実施率は、例えば、１以上の需要者において節電が実施される割合を示す。１以上の需要者のそれぞれが節電を実施したか否かの節電実施状況に基づいている。具体的には、節電実施率は、１以上の需要者のうち、節電を実施した需要者の割合に基づいていてもよい。また、節電実施率は、複数の節電機会のうち、需要者が節電を実施した回数に基づいていてもよい。
【０１００】
例えば、導出部１１３は、図３に示された実績情報の節電実施状況から、節電実施率を導出してもよい。また、導出部１１３は、図５に示された実績情報から、節電実施率を導出してもよい。また、導出部１１３は、図６に示された実績情報から、最新の節電実施率を導出してもよいし、平均の節電実施率を導出してもよい。
【０１０１】
また、導出部１１３は、節電対象時間に対して、過去の同じ時間における節電実施率を実績情報から導出してもよい。導出部１１３は、節電対象時間に対して、過去の同じ曜日および同じ時間における節電実施率を実績情報から導出してもよい。
【０１０２】
節電実施状況および節電実施率の項目が実績情報に含まれていない場合、導出部１１３は、図３に示された実績情報の電力使用量から、節電実施率を導出してもよい。
【０１０３】
例えば、導出部１１３は、過去の節電対象時間において、需要者の電力使用量が所定の閾値よりも大きい場合、需要者が節電を実施しなかったと判定してもよい。そして、導出部１１３は、過去の節電対象時間において、需要者の電力使用量が所定の閾値以下である場合、需要者が節電を実施したと判定してもよい。
【０１０４】
また、導出部１１３は、電力使用量の代わりに電力使用量の削減量を用いてもよい。ここでの電力使用量の削減量は、節電対象時間における電力使用量と、節電対象時間以外の時間における電力使用量との差に相当する。例えば、節電対象時間における電力使用量と、その節電対象時間に対して時間帯、気温、および、平日か休日か等の条件が同じで節電対象時間以外の時間における平均電力使用量との差が用いられてもよい。
【０１０５】
また、例えば、節電対象時間の開始前の電力使用量と、節電対象時間の開始後の電力使用量との差が電力使用量の削減量として用いられてもよい。なお、この差は、必ずしも、節電対象時間の開始直前の電力使用量と、節電対象時間の開始直後の電力使用量との差でなくてもよい。
【０１０６】
そして、例えば、導出部１１３は、過去の節電対象時間において、需要者の電力使用量の削減量が所定の閾値よりも大きい場合、需要者が節電を実施したと判定してもよい。そして、導出部１１３は、過去の節電対象時間において、需要者の電力使用量の削減量が所定の閾値以下である場合、需要者が節電を実施しなかったと判定してもよい。
【０１０７】
これにより、導出部１１３は、図３に示された実績情報の電力使用量から、需要者の節電実施状況（節電が実施されたか否か）を導出することができる。そして、導出部１１３は、導出された節電実施状況を用いて、節電実施率を導出することができる。
【０１０８】
また、図１２において、需要者が節電を実施した場合の節電量は、例えば、需要者の通常時の電力使用量と、需要者の節電時の電力使用量との差を示す。この節電量は、１以上の需要者のうち、節電を実施した需要者の平均的な節電量に基づいていてもよい。また、この節電量は、需要者が節電を複数回実施した場合の平均的な節電量に基づいていてもよい。
【０１０９】
例えば、導出部１１３は、図３または図５に示された実績情報から、節電量を導出してもよい。また、導出部１１３は、図３または図５に示された実績情報から、最新の節電量を導出してもよいし、平均の節電量を導出してもよい。
【０１１０】
また、導出部１１３は、節電対象時間に対して、過去の同じ時間における節電量を実績情報から導出してもよい。導出部１１３は、節電対象時間に対して、過去の同じ曜日および同じ時間における節電量を実績情報から導出してもよい。
【０１１１】
節電量の項目が実績情報に含まれていない場合、導出部１１３は、図３に示された実績情報の電力使用量から、節電量を導出してもよい。例えば、導出部１１３は、通常時の電力使用量と節電時の電力使用量との差を節電量として導出してもよい。
【０１１２】
例えば、電力管理装置１１０の推定部１１４は、節電対象時間の在宅率が高いほど高く節電見込量を推定する。また、推定部１１４は、節電メッセージの閲覧率が高いほど高く節電見込量を推定する。また、推定部１１４は、節電実施率が高いほど高く節電見込量を推定する。また、推定部１１４は、需要者が節電を実施した場合の節電量が高いほど高く節電見込量を推定する。
【０１１３】
なお、節電対象時間の在宅率、節電メッセージの閲覧率、節電実施率、および、需要者が節電を実施した場合の節電量の全てが節電見込量の推定に用いられなくてもよい。すなわち、節電対象時間の在宅率、節電メッセージの閲覧率、節電実施率、および、需要者が節電を実施した場合の節電量の一部が節電見込量の推定に用いられてもよい。
【０１１４】
例えば、節電実施率、および、需要者が節電を実施した場合の節電量のみが、導出され、節電見込量の推定に用いられてもよい。具体的には、推定部１１４は、１以上の需要者の数と、節電実施率と、需要者が節電を実施した場合の節電量とを掛け合わせた値を節電見込量として推定してもよい。
【０１１５】
図１３は、図１に示された電力管理装置１１０で推定される節電見込量に関するパラメータ群の一例を示す関連図である。図１３において、節電対象時間の在宅率、節電メッセージの閲覧率、節電実施率、および、需要者が節電を実施した場合の節電量は、図１２に示されたパラメータ群の要素と同様の要素である。
【０１１６】
節電対象時間の在宅率、および、節電メッセージの閲覧率は、節電実施率に影響すると想定される。したがって、導出部１１３は、節電対象時間の在宅率を用いて、節電実施率を導出してもよい。また、導出部１１３は、節電メッセージの閲覧率を用いて、節電実施率を導出してもよい。
【０１１７】
また、導出部１１３は、節電対象時間の在宅率、および、節電メッセージの閲覧率のうち、一方を用いて節電実施率を導出してもよいし、両方を用いて節電実施率を導出してもよい。
【０１１８】
例えば、導出部１１３は、節電対象時間の在宅率と、節電メッセージの閲覧率と、所定の比率とを掛け合わせた値を節電実施率として導出してもよい。具体的には、例えば、在宅し、かつ、節電メッセージを閲覧する需要者の５０％が節電を実施することが予め想定されている場合、導出部１１３は、（節電対象時間の在宅率）×（節電メッセージの閲覧率）×０．５を節電実施率として導出する。
【０１１９】
また、例えば、導出部１１３は、節電対象時間の在宅率と、所定の比率とを掛け合わせた値を節電実施率として導出してもよい。具体的には、例えば、在宅している需要者の４０％が節電を実施することが予め想定されている場合、導出部１１３は、（節電対象時間の在宅率）×０．４を節電実施率として導出する。
【０１２０】
また、例えば、導出部１１３は、節電メッセージの閲覧率と、所定の比率とを掛け合わせた値を節電実施率として導出してもよい。具体的には、例えば、節電メッセージを閲覧する需要者の３０％が節電を実施することが予め想定されている場合、導出部１１３は、（節電メッセージの閲覧率）×０．３を節電実施率として導出する。
【０１２１】
そして、推定部１１４は、節電実施率、および、需要者が節電を実施した場合の節電量を用いて節電見込量を推定してもよい。
【０１２２】
図１４は、図１に示された電力管理装置１１０で推定される節電見込量に関するパラメータ群の一例を示す関連図である。図９に示された通り、節電は、在宅のままで実施されてもよいし、外出によって実施されてもよい。そこで、導出部１１３は、在宅の場合と外出の場合とで場合を分けて節電実施率および節電量を導出してもよい。そして、推定部１１４は、外出による節電実施率および節電量と、在宅での節電実施率および節電量とを用いて、節電見込量を推定してもよい。
【０１２３】
具体的には、例えば、図１４のように、パラメータ群として、節電対象時間の在宅率、節電メッセージの閲覧率、外出による節電実施率、外出による節電量、在宅での節電実施率、および、在宅での節電量が用いられる。
【０１２４】
節電対象時間の在宅率、および、節電メッセージの閲覧率は、図１２に示されたパラメータ群の要素と同様の要素である。節電対象時間の在宅率、および、節電メッセージの閲覧率は、図１３のように、所定の比率を用いて、外出による節電実施率、および、在宅での節電実施率の導出に用いられてもよい。所定の比率には、外出による節電実施率の導出と、在宅での節電実施率の導出とで異なる比率が用いられてもよい。
【０１２５】
外出による節電実施率（外出節電実施率）は、例えば、１以上の需要者において外出によって節電が実施される割合を示す。節電実施率は、１以上の需要者のうち、外出によって節電を実施した需要者の割合に基づいていてもよい。また、節電実施率は、複数の節電機会のうち、需要者が外出によって節電を実施した回数に基づいていてもよい。導出部１１３は、図３に示された実績情報の在宅状況および節電実施状況から、外出による節電実施率を導出してもよい。
【０１２６】
例えば、過去の節電対象時間に需要者が節電を実施したことを節電実施状況が示し、その節電対象時間の開始後に需要者が外出したことを在宅状況が示す場合、導出部１１３は、需要者が外出によって節電を実施したと判定する。その他の場合、導出部１１３は、需要者が外出によって節電を実施しなかったと判定する。そして、導出部１１３は、各需要者が外出によって節電を実施したか否かの判定結果を用いて、外出による節電実施率を導出することができる。
【０１２７】
在宅状況および節電実施状況の項目が実績情報に含まれていない場合、導出部１１３は、図３に示された実績情報の電力使用量から、外出による節電実施率を導出してもよい。図１２における説明の通り、導出部１１３は、電力使用量を用いて在宅状況および節電実施状況を導出することができる。そして、導出部１１３は、導出された在宅状況および節電実施状況から、外出による節電実施率を導出することができる。
【０１２８】
また、外出による節電量（外出節電量）は、需要者が外出によって節電を実施した場合の節電量であり、例えば、需要者の在宅時の電力使用量と、需要者の外出時の電力使用量との差に相当する。この節電量は、１以上の需要者のうち、外出によって節電を実施した需要者の平均的な節電量に基づいていてもよい。また、この節電量は、需要者が外出によって節電を複数回実施した場合の平均的な節電量に基づいていてもよい。
【０１２９】
導出部１１３は、図３または図５に示された実績情報の在宅状況および節電量から、外出による節電量を導出してもよい。導出部１１３は、節電対象時間の開始後に需要者が外出したことを在宅状況が示す場合の節電量を外出による節電量として導出することができる。
【０１３０】
在宅状況および節電量の項目が実績情報に含まれていない場合、導出部１１３は、図３に示された実績情報の電力使用量から、外出による節電量を導出してもよい。図１２における説明の通り、導出部１１３は、電力使用量を用いて在宅状況を導出することができる。そして、導出部１１３は、導出された在宅状況を用いて、需要者の在宅時の電力使用量と、需要者の外出時の電力使用量との差を外出による節電量として導出することができる。
【０１３１】
在宅での節電実施率（在宅節電実施率）は、例えば、１以上の需要者において在宅で節電が実施される割合を示す。節電実施率は、１以上の需要者のうち、在宅で節電を実施した需要者の割合に基づいていてもよい。また、節電実施率は、複数の節電機会のうち、需要者が在宅で節電を実施した回数に基づいていてもよい。導出部１１３は、図３に示された実績情報の在宅状況および節電実施状況から、在宅での節電実施率を導出してもよい。
【０１３２】
例えば、過去の節電対象時間に需要者が節電を実施したことを節電実施状況が示し、その節電対象時間において需要者が在宅のままであることを在宅状況が示す場合、導出部１１３は、需要者が在宅で節電を実施したと判定する。その他の場合、導出部１１３は、需要者が在宅で節電を実施しなかったと判定する。そして、導出部１１３は、各需要者が在宅で節電を実施したか否かの判定結果を用いて、在宅での節電実施率を導出することができる。
【０１３３】
在宅状況および節電実施状況の項目が実績情報に含まれていない場合、導出部１１３は、図３に示された実績情報の電力使用量から、在宅での節電実施率を導出してもよい。図１２における説明の通り、導出部１１３は、電力使用量を用いて在宅状況および節電実施状況を導出することができる。そして、導出部１１３は、導出された在宅状況および節電実施状況から、在宅での節電実施率を導出することができる。
【０１３４】
また、在宅での節電量（在宅節電量）は、需要者が在宅で節電を実施した場合の節電量であり、例えば、需要者の在宅かつ通常時の電力使用量と、需要者の在宅かつ節電実施時の電力使用量との差に相当する。この節電量は、１以上の需要者のうち、在宅で節電を実施した需要者の平均的な節電量に基づいていてもよい。また、この節電量は、需要者が在宅で節電を複数回実施した場合の平均的な節電量に基づいていてもよい。
【０１３５】
導出部１１３は、図３または図５に示された実績情報の在宅状況および節電量から、在宅での節電量を導出してもよい。導出部１１３は、節電対象時間において需要者が在宅のままであることを在宅状況が示す場合の節電量を在宅での節電量として導出することができる。
【０１３６】
在宅状況および節電量の項目が実績情報に含まれていない場合、導出部１１３は、図３に示された実績情報の電力使用量から、在宅での節電量を導出してもよい。図１２における説明の通り、導出部１１３は、電力使用量を用いて在宅状況および節電実施状況を導出することができる。そして、導出部１１３は、導出された在宅状況を用いて、需要者の在宅かつ通常時の電力使用量と、需要者の在宅かつ節電実施時の電力使用量との差を在宅での節電量として導出することができる。
【０１３７】
推定部１１４は、１以上の需要者の数と、外出による節電実施率と、外出による節電量とを掛け合わせた値を外出による節電見込量として推定してもよい。推定部１１４は、１以上の需要者の数と、在宅での節電実施率と、在宅での節電量とを掛け合わせた値を在宅での節電見込量として推定してもよい。そして、推定部１１４は、外出による節電見込量と在宅での節電見込量とを足し合わせた値を合計の節電見込量として推定してもよい。
【０１３８】
外出による節電量と在宅での節電量とは異なると想定される。したがって、電力管理装置１１０は、在宅の場合と外出の場合とで場合を分けて節電見込量を推定することで、より適切に節電見込量を推定することができる。
【０１３９】
図１５は、図１に示された電力管理装置１１０で推定される節電見込量に関するパラメータ群の一例を示す関連図である。図１５の例では、特に、所定の外気温における節電実施率、および、所定の外気温における節電量が用いられる。所定の外気温は、具体的には、節電対象時間の外気温であり、予想された外気温である。電力管理装置１１０は、収集部１１１で取得された外気温に基づいて、節電対象時間の外気温を予想してもよいし、別の装置から、節電対象時間に対して予想された外気温を取得してもよい。
【０１４０】
所定の外気温における節電実施率は、例えば、１以上の需要者において所定の外気温で節電が実施される割合を示す。導出部１１３は、図３に示された実績情報の節電実施状況および外気温から、所定の外気温における節電実施率を導出してもよい。また、導出部１１３は、図５または図７に示された実績情報の節電実施率および外気温から、所定の外気温における節電実施率を導出してもよい。
【０１４１】
節電実施状況および節電実施率が実績情報に含まれていない場合、導出部１１３は、所定の外気温における節電実施率を図３に示された実績情報の電力使用量および外気温から導出してもよい。図１２における説明の通り、導出部１１３は、図３に示された実績情報の電力使用量から、節電実施状況を導出することができる。したがって、導出部１１３は、導出された節電実施状況と、実績情報の外気温とを用いて、所定の外気温における節電実施率を導出することができる。
【０１４２】
また、導出部１１３は、節電対象時間の在宅率と、節電メッセージの閲覧率と、所定の外気温に対応付けられた比率とを掛け合わせた値を所定の外気温における節電実施率として導出してもよい。
【０１４３】
所定の外気温における節電量は、例えば、需要者が所定の外気温で節電を実施した場合の節電量であり、所定の外気温における通常時の電力使用量と節電実施時の電力使用量との差を示す。導出部１１３は、図３、図５または図７に示された実績情報の節電量および外気温から、所定の外気温における節電量を導出してもよい。節電量が実績情報に含まれていない場合、導出部１１３は、所定の外気温における節電量を図３に示された実績情報の電力使用量および外気温から導出してもよい。
【０１４４】
図１２における説明の通り、導出部１１３は、図３に示された実績情報の電力使用量から、節電実施状況を導出することができる。したがって、導出部１１３は、導出された節電実施状況、実績情報の電力使用量、および、実績情報の外気温を用いて、所定の外気温における通常時の電力使用量と所定の外気温における節電実施時の電力使用量との差を節電量として導出することができる。
【０１４５】
推定部１１４は、１以上の需要者の数と、所定の外気温における節電実施率と、所定の外気温における節電量とを掛け合わせた値を節電見込量として推定してもよい。
【０１４６】
外気温によって節電実施率および節電量は変化すると想定される。したがって、電力管理装置１１０は、所定の外気温における節電実施率および節電量を用いて節電見込量を推定することで、より適切に節電見込量を推定することができる。なお、節電実施率および節電量のうち一方のみが所定の外気温に基づいていてもよい。この場合でも、節電実施率または節電量に外気温が反映されるため、電力管理装置１１０は、適切に節電見込量を推定することができる。
【０１４７】
なお、実績情報がまだ蓄積されていない場合、図１２〜図１５で示されたパラメータ群の各要素には、予め定められた初期値が用いられてもよい。この初期値は、他のモデルでの実績情報に基づいていてもよい。また、実績情報が記憶部１１２に記憶される１以上の需要者と、節電見込量が推定される１以上の需要者とは異なっていてもよい。例えば、少数の需要者の実績情報が記憶部１１２に記憶され、少数の需要者の実績情報から、多数の需要者の節電見込量が推定されてもよい。
【０１４８】
以上のように、電力管理装置１１０は、実績情報から、節電実施率、および、需要者が節電を実施した場合の節電量等を導出し、導出された情報を用いて、節電見込量を適切に推定することができる。
【０１４９】
以上、本発明に係る電力管理装置１１０について、実施の形態に基づいて説明したが、本発明は、実施の形態に限定されない。実施の形態に対して当業者が思いつく変形を施して得られる形態、および、実施の形態における複数の構成要素を任意に組み合わせて実現される別の形態も本発明に含まれる。
【０１５０】
例えば、特定の構成要素が実行する処理を別の構成要素が実行してもよい。また、処理を実行する順番が変更されてもよいし、複数の処理が並行して実行されてもよい。
【０１５１】
また、本発明は、電力管理装置１１０として実現できるだけでなく、電力管理装置１１０を構成する各構成要素が行うステップ（処理）を含む方法として実現できる。
【０１５２】
例えば、それらのステップは、電力管理装置１１０に含まれるコンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【０１５３】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【０１５４】
また、電力管理装置１１０等に含まれる複数の構成要素は、それぞれ、専用または汎用の回路として実現されてもよい。これらの構成要素は、１つの回路として実現されてもよいし、複数の回路として実現されてもよい。
【０１５５】
また、電力管理装置１１０等に含まれる複数の構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。これらの構成要素は、個別に１チップ化されてもよいし、一部または全てを含むように１チップ化されてもよい。ＬＳＩは、集積度の違いにより、システムＬＳＩ、スーパーＬＳＩまたはウルトラＬＳＩと呼称される場合がある。
【０１５６】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【０１５７】
さらに、半導体技術の進歩または派生する別技術によりＬＳＩに置き換わる集積回路化の技術が登場すれば、当然、その技術を用いて、電力管理装置１１０に含まれる複数の構成要素の集積回路化が行われてもよい。
【０１５８】
最後に、電力管理装置１１０等の複数の態様を例として示す。これらの態様は、適宜、組み合わされてもよい。また、上記の実施の形態に示された任意の構成等が追加されてもよい。
【０１５９】
（第１態様）
本発明の一態様に係る電力管理装置１１０は、記憶部１１２と、導出部１１３と、推定部１１４とを備える。
【０１６０】
記憶部１１２には、節電に関する実績情報が記憶される。導出部１１３は、実績情報を用いて、１以上の需要者において節電が実施される割合を示す節電実施率、および、１以上の需要者における１需要者が節電を実施した場合の電力使用量の削減量を示す節電量を導出する。推定部１１４は、節電実施率および節電量を用いて、将来の節電対象時間における１以上の需要者の電力使用量の削減量を示す節電見込量を推定する。
【０１６１】
これにより、電力管理装置１１０は、節電対象時間における電力使用量の削減量に影響を与える節電実施率および節電量を実績情報から導出することができる。そして、電力管理装置１１０は、節電実施率および節電量の特性に基づいて、節電見込量を適切に推定することができる。
【０１６２】
（第２態様）
例えば、導出部１１３は、実績情報を用いて、節電の実施を促すメッセージが１以上の需要者において閲覧される割合を示す閲覧率を導出し、閲覧率を用いて、節電実施率を導出してもよい。
【０１６３】
これにより、電力管理装置１１０は、メッセージの閲覧率に基づいて、節電見込量を推定することができる。
【０１６４】
（第３態様）
例えば、導出部１１３は、実績情報を用いて、節電対象時間における１以上の需要者の在宅率を導出し、在宅率を用いて、節電実施率を導出してもよい。
【０１６５】
これにより、電力管理装置１１０は、在宅率に基づいて、節電見込量を推定することができる。
【０１６６】
（第４態様）
例えば、導出部１１３は、１以上の需要者において在宅で節電が実施される割合を節電実施率として導出し、在宅かつ通常時の電力使用量から在宅かつ節電実施時の電力使用量を引いた量を節電量として導出してもよい。
【０１６７】
これにより、電力管理装置１１０は、在宅で実施される節電の節電見込量を推定することができる。
【０１６８】
（第５態様）
例えば、導出部１１３は、１以上の需要者において外出によって節電が実施される割合を節電実施率として導出し、在宅時の電力使用量から外出時の電力使用量を引いた量を節電量として導出してもよい。
【０１６９】
これにより、電力管理装置１１０は、外出によって実施される節電の節電見込量を推定することができる。
【０１７０】
（第６態様）
例えば、導出部１１３は、（ｉ）１以上の需要者において節電が在宅で実施される割合を示す在宅節電実施率と、（ｉｉ）１以上の需要者において節電が外出によって実施される割合を示す外出節電実施率とのそれぞれを節電実施率として導出してもよい。また、導出部１１３は、（ｉ）在宅かつ通常時の電力使用量から在宅かつ節電実施時の電力使用量を引いた量を示す在宅節電量と、（ｉｉ）在宅時の電力使用量から外出時の電力使用量を引いた量を示す外出節電量とのそれぞれを節電量として導出してもよい。
【０１７１】
そして、推定部１１４は、在宅節電実施率と外出節電実施率と在宅節電量と外出節電量とを用いて、節電見込量を推定してもよい。
【０１７２】
これにより、電力管理装置１１０は、在宅で実施される節電、および、外出によって実施される節電の節電見込量を推定することができる。
【０１７３】
（第７態様）
例えば、導出部１１３は、所定の外気温における節電実施率を導出してもよい。これにより、電力管理装置１１０は、外気温に基づく節電実施率に従って、節電見込量を適切に推定することができる。
【０１７４】
（第８態様）
例えば、導出部１１３は、所定の外気温における節電量を導出してもよい。これにより、電力管理装置１１０は、外気温に基づく節電量に従って、節電見込量を適切に推定することができる。
【符号の説明】
【０１７５】
１１０  電力管理装置
１１２  記憶部
１１３  導出部
１１４  推定部
【図１】
2017004124.tif 000003
【図２】
2017004124.tif 000004
【図３】
2017004124.tif 000005
【図４】
2017004124.tif 000006
【図５】
2017004124.tif 000007
【図６】
2017004124.tif 000008
【図７】
2017004124.tif 000009
【図８】
2017004124.tif 000010
【図９】
2017004124.tif 000011
【図１０】
2017004124.tif 000012
【図１１】
2017004124.tif 000013
【図１２】
2017004124.tif 000014
【図１３】
2017004124.tif 000015
【図１４】
2017004124.tif 000016
【図１５】
2017004124.tif 000017